(57)【特許請求の範囲】
【請求項１】
周波数分割多元接続通信システムにおけるアップリンクパワー割当用の方法であって、
複数のユーザ端末（ＵＥ）のうちの各ユーザ端末（ＵＥ）に関連してチャネル状態を決定するチャネル状態決定工程と、
各ＵＥに関連する測定された伝搬損失のスケーリングについてのパラメータであるαを決定するスケーリングパラメータ決定工程と、
各ＵＥの最大送信パワーを決定する最大送信パワー決定工程と、
決定した複数のＵＥのチャネル状態に基づき伝搬損失しきい値を決定する伝搬損失しきい値決定工程と、
複数のＵＥのうちの各ＵＥのアップリンク送信パワーレベルを、α、最大送信パワー、および伝搬損失しきい値と、該ＵＥに関連して決定したチャネル状態とに基づき決定するアップリンク送信パワーレベル決定工程と、からなる方法。
【請求項２】
伝搬損失しきい値決定工程は、
複数のユーザ端末のうちの各ユーザ端末に関連したチャネル状態に基づき複数のユーザ端末を順位付ける工程と、
順位付けの所定のパーセンタイルに対応する複数のユーザ端末のうちの１つのユーザ端末の伝搬損失を決定し、伝搬損失しきい値を生成する工程と、を含む請求項１に記載の方法。
【請求項３】
アップリンク送信パワーレベル決定工程は、
ＵＥの最大送信パワーを決定する工程と、
伝搬損失しきい値と、ＵＥに関連したチャネル状態とに基づき、ＵＥのパワー制御パラメータ分数を決定する工程と、
最大送信パワーおよびパワー制御パラメータ分数に基づき、ＵＥのアップリンク送信パワーレベルを決定する工程と、を含む請求項１に記載の方法。
【請求項４】
アップリンク送信パワーレベル決定工程は、次式に基づき各ＵＥのアップリンク送信パワーを決定する工程を含む請求項１に記載の方法。
【数１】
0004567010.tif 000006
ここで、ＰｔはＵＥへ割り当てられるアップリンク送信パワーレベルであり、ＰｍａｘはＵＥの最大アップリンク送信パワーレベルであり、Ｒｍｉｎは最小パワー低下率であり、ＬはＵＥに関連する測定された伝搬損失であり、Ｌｘ−ｉｌｅは伝搬損失しきい値であり、αはシステムオペレータによってセットされるパラメータである。
【請求項５】
アップリンク送信パワーレベル決定工程は、
決定した伝搬損失しきい値をブロードキャストする工程と、
複数のＵＥのうちの各ＵＥによって、伝搬損失しきい値と、ＵＥのダウンリンクチャネル状態測定とに基づきＵＥのアップリンク送信パワーレベルを決定する工程と、を含む請求項１に記載の方法。
【請求項６】
周波数分割多元接続通信システムにおいて動作することの可能な無線接続ネットワークであって、複数のユーザ端末（ＵＥ）のうちの各ユーザ端末（ＵＥ）に関連してチャネル状態を決定し、各ＵＥに関連する測定された伝搬損失のスケーリングについてのパラメータであるαを決定し、各ＵＥの最大送信パワーを決定し、決定したチャネル状態に基づき伝搬損失しきい値を決定し、かつ、複数のＵＥのうちの各ＵＥのアップリンク送信パワーレベルを、α、最大送信パワー、および伝搬損失しきい値と、該ＵＥに関連して決定したチャネル状態とに基づき決定するように構成されているプロセッサを備える無線接続ネットワーク。
【請求項７】
決定したチャネル状態に基づき複数のユーザ端末を順位付け、順位付けの所定のパーセンタイルに対応する複数のユーザ端末のうちの１つのユーザ端末の伝搬損失を決定し、伝搬損失しきい値を生成することによって、伝搬損失しきい値を決定するようにプロセッサが構成されていることを含む請求項６に記載の無線接続ネットワーク。
【請求項８】
ＵＥの最大送信パワーを決定し、伝搬損失しきい値とＵＥに関連したチャネル状態とに基づきＵＥのパワー制御パラメータ分数を決定し、かつ、最大送信パワーおよびパワー制御パラメータ分数に基づきＵＥのアップリンク送信パワーレベルを決定することによって、複数のユーザ端末（ＵＥ）のうちの１つのユーザ端末（ＵＥ）のアップリンク送信パワーレベルを決定するようにプロセッサが構成されていることを含む請求項６に記載の無線接続ネットワーク。
【請求項９】
次式を保持する１つ以上のメモリデバイスを備え、かつ、次式に基づき複数のユーザ端末（ＵＥ）のうちの各ユーザ端末（ＵＥ）のアップリンク送信パワーを決定するようにプロセッサが構成されていることを含む請求項６に記載の無線接続ネットワーク。
【数２】
0004567010.tif 000007
ここで、ＰｔはＵＥへ割り当てられるアップリンク送信パワーレベルであり、ＰｍａｘはＵＥの最大アップリンク送信パワーレベルであり、Ｒｍｉｎは最小パワー低下率であり、ＬはＵＥに関連する測定された伝搬損失であり、Ｌｘ−ｉｌｅは伝搬損失しきい値であり、αはシステムオペレータによってセットされるパラメータである。
【発明の詳細な説明】
【技術分野】
【０００１】
本発明は、シングルキャリアおよびマルチキャリアの周波数分割多元接続（ＦＤＭＡ）通信システムに関する。詳細には、本発明はシングルキャリアおよびマルチキャリアのＦＤＭＡ通信システムにおける、アップリンクパワー制御ならびに帯域幅割当に関する。
【背景技術】
【０００２】
ＩＦＤＭＡ、ＤＦＴ−ＳＯＦＤＭＡ、ＯＦＤＭＡ通信システムなど、シングルキャリアおよびマルチキャリアの周波数分割多元接続（ＦＤＭＡ）通信システムでは、３ＧＰＰ（第３世代パートナシップ・プロジェクト）および３ＧＰＰ２エボリューションの通信システムを使用してエアインタフェースを通じるデータ伝送を行うことが提案されている。シングルキャリアおよびマルチキャリアのＦＤＭＡ通信システムでは、周波数帯域幅は、同時に送信される複数の隣接する周波数サブバンド、即ちサブキャリアへ、分割される。次いで、ユーザ情報を交換するためにユーザが１つ以上の周波数サブバンドへ割り当てられることによって、複数のユーザが異なるサブキャリア上で同時に送信することが可能となる。これらのサブキャリアは互いに直交しているため、セル内干渉は低減される。
【０００３】
スペクトル効率を最大化するため、シングルキャリアおよびマルチキャリアのＦＤＭＡ通信システムでは、ダウンリンクおよびアップリンクの両方に対し周波数再使用因子を１とすることが提案されている。周波数再使用因子を１とすると、１つのセクタ／セルのデータおよび制御チャネルが他のセクタ／セルからの干渉を受ける可能性が高い。セルの外縁部または不良なカバレッジロケーションにあるユーザ端末（ＵＥ）については、このことが特に当てはまる。したがって、セクタまたはセル内の各ＵＥにアップリンク上においてフルパワーで送信させることによって、外縁部の性能は非常に不充分となる。一方、従来のパワー制御方式では、セクタまたはセルまたはセル内の各ＵＥは、そうした各ＵＥが無線接続ネットワークにあるのと同じ受信パワーを生じるアップリンクパワーで送信するが、高データレートにて送信可能なＵＥを欠くため全体的なスペクトル効率は低下する。
【発明の開示】
【発明が解決しようとする課題】
【０００４】
したがって、セル外縁部の性能と全体的なスペクトル効率との間のよりよいトレードオフが得られる資源割当方式の必要が存在する。
【課題を解決するための手段】
【０００５】
セル外縁部の性能と全体的なスペクトル効率との間のよりよいトレードオフを生じる資源割当方式の必要に対処するために、通信システムは分数パワー制御方式に基づき、ユーザ端末（ＵＥ）にアップリンク送信パワーを割り当てる。また、セル外縁部のユーザのパワーが制限されている可能性もあるので、さらに通信システムは、分数パワー制御方式を用いて機能する最小限の伝送帯域幅資源割当を実装し、３ＧＰＰ（第３世代パートナシップ・プロジェクト）および３ＧＰＰ２エボリューションの通信システムによるアップリンク伝送に所望されるレベルの性能を達成する。
【０００６】
一般に、本発明の一実施形態には、周波数分割多元接続（ＦＤＭＡ）通信システムにおけるアップリンクパワー割当用の方法のための方法が含まれる。この方法は、複数のユーザ端末（ＵＥ）のうちの各ユーザ端末（ＵＥ）に関連してチャネル状態を決定する工程と、決定した複数のＵＥのチャネル状態に基づき伝搬損失しきい値を決定する工程と、伝搬損失しきい値と、ＵＥに関連して決定したチャネル状態とに基づき、複数のＵＥのうちの１つのＵＥのアップリンク送信パワーレベルを決定する工程と、からなる。
【０００７】
本発明の別の実施形態には、帯域幅が複数のサブバンドへ分割されるＦＤＭＡ通信システムにおける帯域幅割当用の方法が含まれる。この方法は、ユーザ端末（ＵＥ）に関連してチャネル状態を決定する工程と、決定したチャネル状態に基づき、そのＵＥの送信可能な最大アップリンク送信パワーの部分を決定する工程と、そのＵＥのサブバンド当たりのアップリンク送信パワーレベルを決定する工程と、全ての利用可能なサブバンドがそのＵＥへ割り当てられると仮定して、決定したサブバンド当たりのアップリンク送信パワーレベルに基づき、サポート可能なデータレートを決定する工程と、サポート可能なデータレートに基づき、そのＵＥへ割り当てられる最小帯域幅を決定する工程と、からなる。
【０００８】
本発明のさらに別の実施形態には、ＦＤＭＡ通信システムにおいてアップリンク資源を割り当てるための方法が含まれる。この方法は、複数の無線接続ネットワーク（ＲＡＮ）のうちの各無線接続ネットワーク（ＲＡＮ）によって、ＲＡＮのサービスする各ＵＥに関連してチャネル状態を決定する工程と、複数のＲＡＮのうちの各ＲＡＮによって、決定したチャネル状態に基づきＲＡＮのサービスするＵＥを順位付ける工程とを含む。さらにこの方法は、複数のＲＡＮのうちの各ＲＡＮによって、ＵＥの順位付けに基づきＲＡＮのサービスする各ＵＥにアップリンク資源のブロックを割り当てる工程を含み、複数のＲＡＮのうちの第１のＲＡＮのサービスするＵＥおよび複数のＲＡＮのうちの第２のＲＡＮのサービスするＵＥの両方が同様のチャネル状態に関連するとき、複数のＲＡＮのうちの第１のＲＡＮのサービスするＵＥは、複数のＲＡＮのうちの第２のＲＡＮのサービスするＵＥと同じアップリンク資源のブロックへ割り当てられる。
【０００９】
本発明のさらに別の実施形態には、ＦＤＭＡ通信システムにおいて動作することの可能な無線接続ネットワーク（ＲＡＮ）が含まれる。このＲＡＮは、複数のＵＥのうちの各ＵＥに関連してチャネル状態を決定し、決定したチャネル状態に基づき伝搬損失しきい値を決定し、かつ、複数のＵＥのうちの各ＵＥに対し、伝搬損失しきい値とＵＥに関連するチャネル状態とに基づき、アップリンク送信パワーレベルを決定するように構成されているプロセッサを備える。
【００１０】
本発明のさらに別の実施形態には、帯域幅が複数のサブバンドへ分割されるＦＤＭＡ通信システムにおいて動作することの可能なＲＡＮが含まれる。このＲＡＮは、ＵＥのチャネル状態を決定し、決定したチャネル状態に基づき、そのＵＥの送信可能な最大アップリンク送信パワーの部分を決定し、そのＵＥのサブバンド当たりのアップリンク送信パワーレベルを決定し、全ての利用可能なサブバンドが、そのＵＥへ割り当てられると仮定して、決定したサブバンド当たりのアップリンク送信パワーレベルに基づき、サポート可能なデータレートを決定し、かつ、サポート可能なデータレートに基づき、そのＵＥへ割り当てられる最小帯域幅を決定するように構成されているプロセッサを備える。
【００１１】
本発明のさらに別の実施形態には、無線ＦＤＭＡ通信システムが含まれる。この無線ＦＤＭＡ通信システムは、第１の複数のＵＥのうちの各ＵＥのチャネル状態を決定し、決定したチャネル状態に基づき第１の複数のＵＥを順位付け、かつ、第１の複数のＵＥの順位付けに基づき第１の複数のＵＥのうちの各ＵＥへ異なるアップリンク資源のブロックを割り当てる第１のＲＡＮを含む。さらにこの無線ＦＤＭＡ通信システムは、第２の複数のＵＥのうちの各ＵＥのチャネル状態測定値を決定し、決定したチャネル状態に基づき第２の複数のＵＥを順位付け、かつ、第２の複数のＵＥの順位付けに基づき第２の複数のＵＥのうちの各ＵＥへ異なるアップリンク資源のブロックを割り当てる第２のＲＡＮを含み、第１のＲＡＮのサービスするＵＥおよび第２のＲＡＮのサービスするＵＥの両方が同様のチャネル状態に関連するとき、第１のＲＡＮのサービスするＵＥは第２のＲＡＮのサービスするＵＥと同じアップリンク資源のブロックへ割り当てられる。
【００１２】
本発明のさらに別の実施形態には、ＦＤＭＡ通信システムにおいて動作することの可能な無線ユーザ端末（ＵＥ）が含まれる。この無線ユーザ端末は、複数のサブバンドのうちの各サブバンドのダウンリンクチャネル状態を測定し、測定したダウンリンクチャネル状態を無線接続ネットワークへ報告し、無線接続ネットワークから伝搬損失しきい値を受信し、かつ、測定したダウンリンクチャネル状態および伝搬損失しきい値に基づきアップリンク送信パワーレベルを決定するように構成されているプロセッサを備える。
【発明を実施するための最良の形態】
【００１３】
図１〜６を参照することによって、より完全に本発明が説明され得る。図１は本発明の一実施形態による無線通信システム１００のブロック図である。通信システム１００は複数のユーザ端末（ＵＥ）１０２，１０４（２つを示す）を備える。ユーザ端末は、以下に限定されないが、セルラー電話機、無線電話機、無線周波数（ＲＦ）機能を有する携帯情報端末（ＰＤＡ）、またはラップトップコンピュータなどデジタル端末装置（ＤＴＥ）へのＲＦ接続を提供する無線モデムなどである。さらに通信システム１００は、無線接続ネットワーク（ＲＡＮ）１２０を備える。無線接続ネットワーク１２０は、セルまたはセクタなどＲＡＮのカバレッジエリア１１８に存在するＵＥ  １０２，１０４などの各ＵＥに、エアインタフェース１１０を介して通信サービスを提供する。ＲＡＮ  １２０はトランシーバ１２２を備え、さらにネットワークコントローラ１２８を備える。トランシーバ１２２はノードＢまたはトランシーバ基地局（ＢＴＳ）などであり、複数のＵＥ  １０２，１０４の各々と無線通信を行う。ネットワークコントローラ１２８は無線ネットワークコントローラ（ＲＮＣ）または基地局コントローラ（ＢＳＣ）などであり、トランシーバに結合されている。エアインタフェース１１０はダウンリンク１１２およびアップリンク１１４を含む。ダウンリンク１１２およびアップリンク１１４は各々、１つ以上のシグナリングチャネルと１つ以上のトラフィックチャネルとを含む、複数の物理的な通信チャネルを含む。
【００１４】
トランシーバ１２２およびコントローラ１２８は各々、それぞれのプロセッサ１２４，１３０を備える。プロセッサは、１つ以上のマイクロプロセッサ、マイクロコントローラ、デジタル信号プロセッサ（ＤＳＰ）、これらの組合せ、または当業者に既知の他のそうしたデバイスなどである。プロセッサ１２４，１３０の特定の動作／機能、したがってそれぞれトランシーバ１２２およびコントローラ１２８の特定の動作／機能は、対応するプロセッサによって実行され得るデータおよびプログラムを記憶するランダムアクセスメモリ（ＲＡＭ）、ダイナミックランダムアクセスメモリ（ＤＲＡＭ）およびリードオンリメモリ（ＲＯＭ）のうちの１つ以上、またはそれらの均等物など、プロセッサに関連したそれぞれ１つ以上のメモリデバイス１２６，１３２に記憶されるソフトウェア命令およびルーチンの実行によって決定される。
【００１５】
図２は、本発明の一実施形態による、ユーザ端末（ＵＥ）１０２，１０４などのＵＥ  ２００のブロック図である。ＵＥ  ２００はプロセッサ２０２を備える。プロセッサ２０２は、１つ以上のマイクロプロセッサ、マイクロコントローラ、デジタル信号プロセッサ（ＤＳＰ）、それらの組合せ、または当業者に既知の他のそうしたデバイスなどである。プロセッサ２０２の特定の動作／機能、したがってＵＥ  ２００の特定の動作／機能は、対応するプロセッサによって実行され得るデータおよびプログラムを記憶するランダムアクセスメモリ（ＲＡＭ）、ダイナミックランダムアクセスメモリ（ＤＲＡＭ）およびリードオンリメモリ（ＲＯＭ）のうちの１つ以上、またはそれらの均等物など、プロセッサに関連したそれぞれ１つ以上のメモリデバイス２０４に記憶されるソフトウェア命令およびルーチンの実行によって決定される。
【００１６】
本発明の実施形態は、好適には、ＵＥ  １０２，１０４およびＲＡＮ  １２０内に実装される。より詳細には、ＵＥ  １０２，１０４によって実行されるように本明細書に記載する機能は、ＵＥのそれぞれの１つ以上のメモリデバイス２０４に記憶され、ＵＥの関連するプロセッサ２０２によって実行されるソフトウエアプログラムおよび命令によりまたはおいて実装される。また、ＲＡＮ  １２０によって実行されるように本明細書に記載する機能は、トランシーバ１２２またはコントローラ１２８により実装されても、トランシーバおよびコントローラの間に分散されてもよい。より詳細には、トランシーバまたはコントローラのそれぞれの１つ以上のメモリデバイス１２６，１３２に記憶され、トランシーバまたはコントローラのそれぞれのプロセッサ１２４，１３０によって実行されるソフトウエアプログラムおよび命令によりまたはおいて実装されてよい。しかしながら、これに代えて、例えば、ＵＥ  １０２，１０４、トランシーバ１２２およびコントローラ１２８のうちの１つ以上に実装されるＡＳＩＣなど、集積回路（ＩＣ）、特定用途向け集積回路（ＡＳＩＣ）などのハードウェアにより、本発明の実施形態が実装されてもよいことが、当業者には理解される。本開示に基づき、過度な実験なくそうしたソフトウェアおよびハードウェアのうちの１つ以上を容易に製造し実装することが、当業者には可能である。
【００１７】
通信システム１００は、シングルキャリアまたはマルチキャリア周波数分割多元接続（ＦＤＭＡ）エアインタフェース技術を使用する広帯域パケットデータ通信システムを含む。この通信システムでは、周波数帯域幅は、トラフィックチャネルおよびシグナリングチャネルが同時に送信される物理層チャネルを含む、複数の周波数サブバンド、即ちサブキャリアへ分割される。次いで、ユーザ情報を交換するためにユーザが１つ以上の周波数サブバンドへ割り当てられることによって、複数のユーザが異なるサブキャリア上で同時に送信することが可能となる。さらに、通信システム１００は、好適には３ＧＰＰ（第３世代パートナシップ・プロジェクト）Ｅ−ＵＴＲＡ（エボリューショナリＵＭＴＳ地上無線接続）標準規格により動作する。これらの標準規格によって、無線システムパラメータおよび呼処理手続を含む、無線通信システム動作プロトコルが指定される。しかしながら、通信システム１００が、例えばＣＤＭＡ（符号分割多元接続）２０００  １ＸＥＶ−ＤＶ通信システムなどの３ＧＰＰ２（第３世代パートナシップ・プロジェクト２）エボリューション通信システム、例えば８０２．１１ａ／ＨｉｐｅｒＬＡＮ２，８０２．１１ｇ，８０２．１６もしくは８０２．２１標準規格などのＩＥＥＥ（米国電気電子学会）８０２．ｘｘ標準規格に記載の無線ローカルエリアネットワーク（ＷＬＡＮ）通信システム、または複数の提案された超広帯域（ＵＷＢ）通信システムのうちの任意のものなど、サブバンドが周波数サブバンドまたは時間および周波数サブバンドを含む周波数分割多重化方式または時間および周波数分割多重化方式を使用する任意の無線通信システムにより動作してもよいことが、当業者には理解される。
【００１８】
カバレッジエリアの外縁部におけるシステム性能を最適化するために、通信システム１００はアップリンクの分数のパワー制御および最小の帯域幅割当を提供する。即ち、任意の所与の時間において、かつ、カバレッジエリア１１８およびＲＡＮ  １２０など、ＲＡＮに関連した所与のカバレッジエリアにおいて、通信システム１００は、ＲＡＮにて許容可能な受信パワーを提供するように設計されているカバレッジエリアにおける通信セッションに関与するＵＥ  １０２，１０４などの各ＵＥに、アップリンク送信パワーを割り当てつつ、全てのそうしたＵＥと、隣接したカバレッジエリア（図示せず）のＵＥとの間の干渉を最小化する。また、所与の送信時間間隔（ＴＴＩ）において、ＲＡＮ、即ちＲＡＮ  １２０は、測定されたチャネル状態に基づき、ＵＥに許容可能なサービスを提供するのに充分な通信セッションに関与する各ＵＥ  １０２，１０４に対する帯域幅の最小量を決定し、割り当てる。
【００１９】
ここで図３を参照する。図３は、本発明の一実施形態による通信システム１００によって実行されるアップリンク資源割当、詳細にはアップリンクパワー制御の方法を示す、論理フローチャート３００である。論理フローチャート３００が開始し（３０２）、ＲＡＮ  １２０は、ＲＡＮによってサービスされ、ＲＡＮのカバレッジエリアにおいてアクティブである各ＵＥ  １０２，１０４に関連してチャネル状態を決定する（３０４）。本発明の一実施形態では、各ＵＥ  １０２，１０４は、通信システム１００の使用する帯域幅の各サブバンドに関連するダウンリンクチャネル状態、好適には、当該技術分野において知られているチャネル品質情報（ＣＱＩ）を測定し、複数のダウンリンクチャネル測定値を生成する。チャネル品質を決定する際に多くのパラメータが測定されてよいことや、本発明の精神および範囲から逸脱することなく本明細書において任意のそうしたパラメータが用いられ得ることが、当業者には理解される。当該技術分野において知られているように、各ＵＥ  １０２，１０４は、送信時間間隔（ＴＴＩ）（サブフレームとしても知られている）または無線フレーム送信期間などの測定期間中、各サブバンドおよび全サブバンドのチャネル状態を測定する。次いで、複数のＵＥ  １０２，１０４のうちの各ＵＥは、全てのサブバンドについて測定したチャネル状態を、サービングＲＡＮ  １２０、詳細にはＲＡＮのトランシーバ、即ちトランシーバ１２２へ、好適にはチャネル品質情報（ＣＱＩ）メッセージにより報告する。さらに、複数のＵＥ  １０２，１０４のうちの各ＵＥは、ＵＥのダウンリンクチャネル状態測定値を記憶してもよい。
【００２０】
本発明の別の実施形態では、ＲＡＮ  １２０は、アップリンクパイロット信号、アップリンク制御信号またはアップリンクトラフィック信号など、ＵＥから受信されるアップリンク伝送に基づき、ＲＡＮのサービスする各ＵＥ  １０２，１０４のアップリンクチャネル状態を測定してもよい。ＲＡＮのサービスするＵＥに関連したチャネル状態をＲＡＮが決定する多くの方法が存在することや、本発明の精神および範囲から逸脱することなく本明細書において任意のそうした方法が用いられ得ることが、当業者には理解される。
【００２１】
各ＵＥ  １０２，１０４に関連したチャネル状態測定値に基づき、通信システム１００は各ＵＥ  １０２，１０４の伝搬損失分数を決定する（３０６）。即ち、ＲＡＮ  １２０は決定した伝搬損失に基づき、ＵＥ  １０２，１０４の各々の伝搬損失（Ｌ）を決定し、ＵＥを順位付ける。典型的には、伝搬損失Ｌは受信パワーに対する送信パワーの比として決定される。例えば、ＲＡＮは、ＵＥの測定・報告するサブバンドの各々に関連した伝搬損失を平均化することによって、ＵＥの伝搬損失を決定してもよい。しかしながら、ＵＥの報告する最良の伝搬損失または最悪の伝搬損失を用いるアルゴリズムなど、伝搬損失を決定してＵＥを順位付けるのに用いるための他のアルゴリズムが、当業者には想到される。本発明の精神および範囲から逸脱することなく本明細書においてそれらのアルゴリズムが用いられ得る。次いで、この順位付けに基づき、ＲＡＮ  １２０は、順位付けにおいて所定のパーセンタイルに順位付けられるＵＥの伝搬損失を決定し、伝搬損失しきい値、即ち、その伝搬損失がｘパーセンタイルのレベル（Ｌｘ−ｉｌｅ）にあるＵＥの伝搬損失を生成する。次いで、ＲＡＮ  １２０はＵＥの実際の伝搬損失（Ｌ）を伝搬損失しきい値と比較し、ＵＥの伝搬損失分数（例えば、Ｌｘ−ｉｌｅ／Ｌ）を決定する。
【００２２】
複数の報告するＵＥ  １０２，１０４の各ＵＥについて、通信システム１００、好適にはＲＡＮ  １２０は、ＵＥに関して決定した伝搬損失分数に基づき、ＵＥのアップリンク送信パワーレベルを決定する（３０８）。次いで、ＲＡＮ  １２０は決定したアップリンク送信パワーレベルをそうしたＵＥの各々に割り当て、割り当てたアップリンク送信パワーレベルをＵＥへ通知してよい。次いで、複数のＵＥ  １０２，１０４の各ＵＥはＲＡＮ  １２０へデータを送信し（３１０）、ＲＡＮ  １２０は次のアップリンクパワーレベル更新期間（論理フローチャート３００が工程３０４へ戻るとき）まで、ＵＥに対して決定されたアップリンクパワーレベルにて、エアインタフェース１１０のアップリンク１１４を介し、ＵＥからデータを受信する。次いで、論理フロー３００は終了する（３１２）。しかしながら、本発明の別の実施形態では、ＲＡＮ  １２０は伝搬損失しきい値、即ち、その伝搬損失がｘパーセンテージのレベル（Ｌｘ−ｉｌｅ）にあるＵＥの伝搬損失を決定し、カバレッジエリア１１８において伝搬損失しきい値をブロードキャストすることによって、伝搬損失しきい値をＲＡＮのサービスする各ＵＥ  １０２，１０４へ通知してもよい。Ｌｘ−ｉｌｅの受信に応答して、各ＵＥ  １０２，１０４は、ＵＥの１つ以上のメモリデバイス２０４にパラメータを記憶し、次いで工程３０６，３０８にて、ＵＥの測定したダウンリンクチャネル状態および記憶した伝搬損失しきい値Ｌｘ−ｉｌｅに基づき、伝搬損失分数およびアップリンク送信パワーを自己決定してもよい。
【００２３】
工程３０８にて、各ＵＥ  １０２，１０４について、アップリンク１１４上の伝送におけるＵＥの最大送信パワーレベルＰｍａｘと、ＵＥに関連したパワー制御パラメータ分数ＦＰＣとに基づき、ＵＥのアップリンク送信パワーレベルＰｔをＲＡＮ  １２０が決定するか、またはＵＥが自己決定する。パワー制御パラメータ分数ＦＰＣは、アップリンク１１４上の伝送用にＵＥへ割り当てられているＵＥの最大送信パワーレベルの分数、即ち一部分に対応しており、ＵＥに関連した伝搬損失分数に基づく。より詳細には、ＲＡＮ  １２０が各ＵＥ  １０２，１０４のアップリンク送信パワーレベルＰｔを決定するか、または各ＵＥ  １０２，１０４が次式に基づきアップリンク送信パワーレベルＰｔを自己決定する。
【００２４】
【数１】
0004567010.tif 000002
この式は、ＵＥ  １０２の１つ以上のメモリデバイス２０４と、トランシーバ１２２またはコントローラ１２８の１つ以上のメモリデバイス１２６，１３２とのうちの１つ以上において保持される。
【００２５】
Ｒｍｉｎは最小パワー低下率であり、即ち、Ｐｍａｘに対する通信システム１００におけるＵＥの最小アップリンク送信パワーレベルの比である。Ｒｍｉｎに対応する値は通信システム１００の設計者によって決定され、良好な伝搬損失、即ち最小の伝搬損失を経験するＵＥが低過ぎるパワーレベルの送信を要求されることを防止するように決定される。例えば、ＵＥの最小アップリンク送信パワーがＰｍａｘの１０分の１（１／１０）以上であることが所望される場合、Ｒｍｉｎ＝０．１である。この場合にも、比Ｌｘ−ｉｌｅ／ＬはＵＥの経験する伝搬損失分数に対応する。即ち、比Ｌｘ−ｉｌｅ／Ｌは、伝搬損失しきい値に対するＵＥの実際に経験した伝搬損失（Ｌ）の比、好適には、ＲＡＮ  １２０のサービスする全てのＵＥのうちのｘパーセンタイル（Ｌｘ−ｉｌｅ）にあるＵＥの伝搬損失、即ち、「ｘ−パーセンタイル伝搬損失」である。「Ｌ」は、ＵＥの測定するダウンリンクチャネル品質およびＲＡＮ  １２０の測定するアップリンクチャネル品質のうちの１つ以上に基づき、決定される。好適には、Ｌは、シャドーイングおよび低速フェージングによる伝搬損失を含むが、高速フェージングによる伝搬損失を含まない。Ｌｘ−ｉｌｅは、ＲＡＮ  １２０のサービスする全てのＵＥのうちのｘパーセンタイルにあるＵＥの伝搬損失である。例えば、「ｘ−ｉｌｅ」＝５、即ち５パーセンタイル（５％−ｉｌｅ）の場合、ＲＡＮ  １２０のサービスする全てのＵＥが伝搬損失に基づき順位付けられるとき、Ｌｘ−ｉｌｅは順位付けられた全てのＵＥのうちの（下位から）５パーセンタイルにあるＵＥの伝搬損失である。この結果、その伝搬損失ＬがＬｘ−ｉｌｅ（「ｘ−ｉｌｅ」＝５であるときには下位５％）より大きい全てのＵＥはＰｍａｘで送信し、その伝搬損失ＬがＬｘ−ｉｌｅ未満であるＵＥは各々、伝搬損失しきい値（即ち、Ｌｘ−ｉｌｅ）に対するそのＵＥの伝搬損失Ｌの比に基づくパワーレベルで送信する。
【００２６】
パラメータ「α」は、ＵＥの下位「ｘ」パーセントに対して、通信システム１００がＵＥのアップリンク送信パワーを上向きに調節することによって補正することを所望するＵＥの伝搬損失がいくつであるかに相当する。好適には、「α」は通信システム１００のオペレータによって決定され、トランシーバ１２２またはコントローラ１２８のそれぞれの１つ以上のメモリデバイス１２６，１３２において保持される。次いで、ＲＡＮ  １２０は「α」を用いてＰｔを決定してもよく、ＵＥがＰｔを決定するように、ＲＡＮのサービスするＵＥ  １０２，１０４へ「α」をブロードキャストしてもよい。本発明の別の実施形態では、通信システム１００のオペレータは、ＵＥ  １０２，１０４の各々の１つ以上のメモリデバイス２０４へ「α」を予めプログラムしてもよい。典型的には、１＞α＞０である。α＝０のとき、ＲＡＮ  １２０のサービスするＵＥは全て、フルパワー（Ｐｔ＝Ｐｍａｘ）で送信し得るので、例えば、ＲＡＮ  １２０に近いＵＥのアップリンク送信パワーレベルが高いために、ＲＡＮ  １２０のカバレッジエリアのＵＥは、そのカバレッジエリアの他のＵＥによる高い干渉レベルおよび不充分な外縁部の性能を経験する可能性がある。α＝１のとき、ＲＡＮ  １２０のサービスするＵＥは全て、ＲＡＮ  １２０にて同じ受信パワーを生じるアップリンクパワーレベルで送信し、不充分なスペクトル効率を生じ得る。実験では、α＝１／２と設定することによって、良好な周縁部カバレッジおよび高いスペクトル効率の生じることが示された。α＝１／２と設定することによって、一般に、良好な伝搬損失を経験しているＵＥは最終的には比較的低いパワーレベルで送信して干渉レベルを低減させ、同時に、それらのＵＥは比較的高いパワーレベルでサービングＲＡＮによって受信され、高いスペクトル効率が得られる。
【００２７】
カバレッジエリア１１８の外縁部のユーザなど、カバレッジエリアの外縁部のユーザの送信パワーは制限されている可能性があるので、さらに通信システム１００は、分数パワー制御方式を用いて機能する最小限の伝送帯域幅資源割当方式を実装し、３ＧＰＰ（第３世代パートナシップ・プロジェクト）および３ＧＰＰ２エボリューションの通信システムによるアップリンク伝送に所望されるレベルの性能を達成する。ＵＥの帯域幅を減少させることによって、ＵＥのサブバンド当たりのパワーは有効に増強され、それによって全体的なスペクトル効率を高めつつ、外縁部のユーザへ改良された性能および送信のよりよい機会を提供する。
【００２８】
ここで図４を参照する。図４は、本発明の別の実施形態による通信システム１００によって実行されるアップリンク資源割当、詳細には帯域幅資源割当の方法を示す、論理フローチャート４００である。論理フローチャート４００が開始し（４０２）、ＲＡＮ１２０は、ＲＡＮによってサービスされ、ＲＡＮのカバレッジエリアにおいてアクティブである各ＵＥ  １０２，１０４に関連してチャネル状態を決定する（４０４）。本発明の一実施形態では、各ＵＥ  １０２，１０４は、通信システム１００の使用する帯域幅の各サブバンドに関連するダウンリンクチャネル状態、好適には、当該技術分野において知られているチャネル品質情報（ＣＱＩ）を測定し、全てのサブバンドについて測定したチャネル状態を、サービングＲＡＮ  １２０、詳細にはＲＡＮのトランシーバ、即ちトランシーバ１２２へ、好適にはチャネル品質情報（ＣＱＩ）メッセージにより報告する。本発明の別の実施形態では、ＲＡＮ  １２０は、アップリンクパイロット信号、アップリンク制御信号またはアップリンクトラフィック信号など、ＵＥから受信されるアップリンク伝送に基づき、ＲＡＮのサービスする各ＵＥ  １０２，１０４のアップリンクチャネル状態を測定してもよい。ＲＡＮのサービスするＵＥに関連したチャネル状態をＲＡＮが決定する多くの方法が存在することや、本発明の精神および範囲から逸脱することなく本明細書において任意のそうした方法が用いられ得ることが、当業者には理解される。チャネル状態測定値に基づき、ＲＡＮ  １２０、詳細にはトランシーバ１２２は、ＵＥ１０２など各ＵＥ１０２，１０４の伝搬損失分数を決定する（４０６）。以下ではＵＥ  １０２を参照する場合があるが、ＲＡＮ  １２０がＵＥ  １０４に関して同様の決定を行うことや、ＵＥ  １０２に関して以下に記載する機能と同様の機能をＵＥ  １０４が実行することが、当業者には理解される。
【００２９】
ＵＥ  １０２について決定した伝搬損失に基づき、ＲＡＮ  １２０は、ＵＥ  １０２の送信可能な最大アップリンク送信パワー（Ｐｍａｘ）の分数即ち部分（ＦＰＣ）を決定し（４０８）、さらに、ＵＥのサブバンド当たりのアップリンク送信パワーレベル（Ｐｔ＿ｐｅｒ＿ｓｕｂ−ｂａｎｄ）を決定する（４１０）。好適には、ＲＡＮ  １２０は次式に基づきＦＰＣおよびＰｔ＿ｐｅｒ＿ｓｕｂ−ｂａｎｄを決定する。
【００３０】
【数２】
0004567010.tif 000003
この式は、トランシーバ１２２およびコントローラ１２８のうちの一方または両方の１つ以上のメモリデバイス１２６，１３２において保持される。ここで、ＦＰＣは上述においてより詳細に記載したパワー制御パラメータ分数であり、Ｒｍｉｎ，Ｌｘ−ｉｌｅ，Ｌ，αおよびＰｍａｘは、論理フローチャート３００に関する上述の記載のように決定される。ＮＴＯＴは所与の帯域幅におけるサブバンドの全数であり、ＮＳＵＢは、割当に利用可能な所与の帯域幅におけるサブバンドの数である。
【００３１】
次いで、ＵＥに全ての利用可能なサブバンドが割り当てられると仮定して、決定したサブバンド当たりのアップリンク送信パワーレベル（Ｐｔ＿ｐｅｒ＿ｓｕｂ−ｂａｎｄ）に基づき、ＲＡＮ  １２０はＵＥ  １０２のサポート可能なデータレートＲを決定する（４１２）。次いで、決定したサポート可能なデータレートＲに基づき、ＲＡＮ  １２０は、ＵＥ  １０２について、許容可能なレベルの性能、即ち信号劣化を有する、決定したサポート可能なデータレートＲをサポートするＵＥへの割当用の最小帯域幅を決定する（４１４）。即ち、ＲＡＮ  １２０はＵＥ  １０２について、次式のＮＡＳＳＩＧＮを決定する。
【００３２】
【数３】
0004567010.tif 000004
ここで、ＮＡＳＳＩＧＮは、性能における劣化がδｄＢ未満であるデータレートＲをサポートするＵＥへの割当用の最小帯域幅に相当する。性能における許容可能な劣化、即ちδｄＢは、システム１００の設計者によって決定される。データレートＲを保持しつつＵＥへ割り当てられるサブバンドの数が小さくなると、性能における劣化は大きくなりサービス品質は低下することが、当業者には理解される。サポート可能なデータレートＲ、および決定したサポート可能なデータレートＲをサポートするＵＥへ割り当てられ得る最小帯域幅は、システムスループットシミュレーションの結果を含むテーブルに基づき、またはシミュレーションもしくは実験による証拠に基づくカーブもしくは方程式に基づき決定されてよい。このテーブル、カーブまたは方程式は、トランシーバ１２２およびコントローラ１２８のうちの一方又は両方のそれぞれの１つ以上のメモリデバイス１２６，１３２において保持される。
【００３３】
次いで、性能における劣化が「δ」ｄＢ未満であるデータレートＲをサポートするＵＥ１０２への割当用の決定した最小帯域幅に基づき、ＲＡＮ  １２０はＵＥ  １０２のサブバンド当たりのアップリンク送信パワーレベルを再決定、即ち再計算する（４１６）。即ち、Ｐｔ＿ｐｅｒ＿ｓｕｂ−ｂａｎｄを再計算し、再計算したサブバンド当たりのパワーレベルＰＡＳＳＩＧＮを生成する。好適には、ＰＡＳＳＩＧＮは次式に基づき決定される。
【００３４】
【数４】
0004567010.tif 000005
次いで、ＲＡＮ  １２０はＵＥ  １０２にＮＡＳＳＩＧＮおよびＰＡＳＳＩＧＮを伝達する（４１８）。ＵＥ  １０２は、ＵＥの１つ以上のメモリデバイス２０４にＮＡＳＳＩＧＮおよびＰＡＳＳＩＧＮを記憶し（４２０）、次いで、ＲＡＮ  １２０へデータを送信する（４２２）。また、ＲＡＮ  １２０はＮＡＳＳＩＧＮおよびＰＡＳＳＩＧＮに基づき、即ち、ＮＡＳＳＩＧＮ個のサブバンドを用い、パワーレベルＰＡＳＳＩＧＮの各サブバンドにより、エアインタフェース１１０のアップリンク１１４を介し、ＵＥ  １０２からデータを受信する。次いで、論理フロー４００は終了する（４２４）。
【００３５】
ＵＥのアップリンク送信パワーについて、そのＵＥに関連した伝搬損失分数に基づく分数のパワー制御を提供することによって、また、アップリンク伝送に所望されるレベルの性能を達成する最小量のアップリンク帯域幅をＵＥに割り当てることによって、通信システム１００は、３ＧＰＰまたはＥ−ＵＴＲＡ通信システムなどの３ＧＰＰ２エボリューション通信システムなどシングルキャリアまたはマルチキャリアの周波数分割多元接続（ＦＤＭＡ）通信システムの外縁部ユーザに、全体的なスペクトル効率を高めつつ改良された性能および送信のよりよい機会を提供する。しかしながら、そうした通信システムに対しては周波数再使用因子を１とすることが提案されているので、複数の隣接したカバレッジエリアの各カバレッジエリアにおけるサブバンド割当方式を改良することによって、干渉レベルが、さらに改良され得る。
【００３６】
ここで図５を参照する。図５は、本発明の別の実施形態による通信システム５００のブロック図である。通信システム５００は、セルまたはセルのセクタなど、複数のカバレッジエリア５０２，５０４へ分割されている。複数のカバレッジエリア５０２，５０４は各々、それぞれのＲＡＮ  ５１２，５１４によって無線通信サービスを提供されている。しかしながら、本発明の別の実施形態では、セルのセクタなど複数のカバレッジエリア５０２，５０４の各カバレッジエリアが、同じＲＡＮによって無線通信サービスを提供されていてもよい。ＲＡＮ  １２０と同様に、ＲＡＮ  ５１２，５１４はトランシーバを備える。トランシーバはノードＢまたはトランシーバ基地局（ＢＴＳ）などであり、無線ネットワークコントローラ（ＲＮＣ）または基地局コントローラ（ＢＳＣ）などネットワークコントローラに結合されている。また、ＲＡＮ  ５１２または５１４によって実行されるように本明細書に記載する機能は、ＲＡＮのトランシーバまたはコントローラにより実装されても、トランシーバおよびコントローラの間に分散されてもよい。より詳細には、トランシーバまたはコントローラのそれぞれの１つ以上のメモリデバイスに記憶され、トランシーバまたはコントローラのそれぞれのプロセッサによって実行されるソフトウエアプログラムおよび命令によりまたはおいて実装されてよい。
【００３７】
さらに、通信システム５００は複数のＵＥ  ５２０〜５２５（６つを示す）を備える。ここで、複数のＵＥ  ５２０〜５２２からなる第１のグループは、複数のカバレッジエリア５０２，５０４のうちの第１のカバレッジエリア５０２に存在し、複数のＲＡＮ  ５１２，５１４の第１のＲＡＮ  ５１２によってサービスされており、複数のＵＥ  ５２３〜５２５からなる第２のグループは、複数のカバレッジエリア５０２，５０４のうちの第２のカバレッジエリア５０４に存在し、複数のＲＡＮ  ５１２，５１４の第２のＲＡＮ  ５１４によってサービスされている。各カバレッジエリア５０２，５０４をサービングするＲＡＮは、それぞれのエアインタフェース５０６，５０８を介してカバレッジエリアに無線通信サービスを提供する。ここで、各エアインタフェース５０６，５０８はアップリンク（図示せず）およびダウンリンク（図示せず）からなる。
【００３８】
通信システム１００と同様に、通信システム５００は、シングルキャリアまたはマルチキャリアの周波数分割多元接続（ＦＤＭＡ）エアインタフェース技術を使用する広帯域パケットデータ通信システムを含む。この通信システムでは、周波数帯域幅は、トラフィックチャネルおよびシグナリングチャネルが同時に送信される物理層チャネルを含む、複数の周波数サブバンド、即ちサブキャリアへ分割される。次いで、ユーザ情報を交換するためにユーザが１つ以上の周波数サブバンドへ割り当てられることによって、複数のユーザが異なるサブキャリア上で同時に送信することが可能となる。さらに、通信システム１００は、好適には３ＧＰＰ（第３世代パートナシップ・プロジェクト）Ｅ−ＵＴＲＡ（エボリューショナリＵＭＴＳ地上無線接続）標準規格により動作する。これらの標準規格によって、無線システムパラメータおよび呼処理手続を含む、無線通信システム動作プロトコルが指定される。しかしながら、通信システム５００が、例えばＣＤＭＡ（符号分割多元接続）２０００  １ＸＥＶ−ＤＶ通信システムなどの３ＧＰＰ２（第３世代パートナシップ・プロジェクト２）エボリューション通信システム、例えば８０２．１１ａ／ＨｉｐｅｒＬＡＮ２，８０２．１１ｇ，８０２．１６もしくは８０２．２１標準規格などのＩＥＥＥ（米国電気電子学会）８０２．ｘｘ標準規格に記載の無線ローカルエリアネットワーク（ＷＬＡＮ）通信システム、または複数の提案された超広帯域（ＵＷＢ）通信システムのうちの任意のものなど、サブバンドが周波数サブバンドまたは時間および周波数サブバンドを含む周波数分割多重化方式または時間および周波数分割多重化方式を使用する任意の無線通信システムにより動作してもよいことが、当業者には理解される。さらに通信システム５００は、周波数再使用因子を１とすることを実装する。この場合、複数のカバレッジエリア５０２，５０４の各カバレッジエリアは、同じ周波数帯域幅を利用する。
【００３９】
通信システム５００は、伝搬損失および送信パワーのうちの１つ以上が同様であるＵＥに対し、各カバレッジエリア５０２，５０４において同じ資源ブロックを割り当てることによって、干渉管理を提供する。伝搬損失および送信パワーのうちの１つ以上が同様であるＵＥに対し、各カバレッジエリア５０２，５０４において同じ資源ブロックを割り当てることによって、通信システム５００は、カバレッジエリア５０２など複数のカバレッジエリアのうちの１つのカバレッジエリアにおいて資源ブロックを用いるＵＥが、カバレッジエリア５０４など複数のカバレッジエリアのうちの異なるカバレッジエリアに存在するＵＥによる同じ資源ブロックの利用と干渉する可能性を減少させる。
【００４０】
ここで図６を参照する。図６は、本発明の別の実施形態による通信システム５００によって実行されるアップリンク資源割当の一方法の論理フローチャートである。論理フローチャート６００が開始し（６０２）、ＲＡＮ５１２，５１４は各々、ＲＡＮによってサービスされ、ＲＡＮのカバレッジエリアにおいてアクティブである各ＵＥ、即ち、ＲＡＮ５１２に関するＵＥ５２０〜５２２およびＲＡＮ５１４に関するＵＥ５２３〜５２５に関連してチャネル状態を決定する（６０４）。本発明の一実施形態では、複数のＵＥ５２０〜５２５のうちの各ＵＥは、ＵＥの存在するカバレッジエリアにおいて使用される帯域幅の複数のサブバンドのうちの各サブバンドに関連するダウンリンクチャネル状態、好適には、当該技術分野において知られているチャネル品質情報（ＣＱＩ）を測定する。次いで、複数のＵＥ５２０〜５２５の各ＵＥは、全てのサブバンドについて測定したダウンリンクチャネル状態を、ＵＥをサービングするＲＡＮ、詳細にはＲＡＮのトランシーバへ、好適にはチャネル品質情報（ＣＱＩ）メッセージにより報告する。例えば、ＵＥ  ５２０〜５２２からなる第１グループの各ＵＥは、それらのＵＥが測定したダウンリンクチャネル状態を第１のＲＡＮ  ５１２へ報告し、ＵＥ  ５２３〜５２５からなる第２のグループの各ＵＥは、それらのＵＥが測定したダウンリンクチャネル状態を第２のＲＡＮ  ５１４へ報告する。本発明の別の実施形態では、ＲＡＮ５１２，５１４は各々、アップリンクパイロット信号、アップリンク制御信号またはアップリンクトラフィック信号など、ＵＥから受信されるアップリンク伝送に基づき、ＲＡＮのサービスする各ＵＥのアップリンクチャネル状態を測定してもよい。この場合にも、ＲＡＮのサービスするＵＥに関連したチャネル状態をＲＡＮが決定する多くの方法が存在することや、本発明の精神および範囲から逸脱することなく本明細書において任意のそうした方法が用いられ得ることが、当業者には理解される。
【００４１】
チャネル状態測定値に基づき、ＲＡＮ  ５１２，５１４は各々、ＲＡＮのサービスする各ＵＥの伝搬損失分数を決定する（６０６）。例えば、ＲＡＮ  ５１２はＵＥ  ５２０〜５２２の各々の伝搬損失を決定し、ＲＡＮ  ５１４はＵＥ  ５２３〜５２５の各々の伝搬損失を決定する。次いで、ＲＡＮ  ５１２，５１４は各々、ＵＥに対して決定した伝搬損失に基づき、ＲＡＮ  ５１２に関するＵＥ  ５２０〜５２２、ＲＡＮ  ５１４に関するＵＥ  ５２３〜５２５など、ＲＡＮのサービングする複数のＵＥを順位付ける（６０８）。次いで、ＲＡＮ  ５１２，５１４は各々、ＵＥの順位付けに基づき、１つ以上のサブバンドのセットまたはアップリンク送信パワーレベルなど異なるアップリンク資源のブロックを、ＲＡＮに報告する複数のＵＥのうちの各ＵＥに割り当てる（６１０）。アップリンク資源のブロックが１つ以上のサブバンドのセットを含むとき、アップリンク資源のブロックに含まれるサブバンドが周波数または時間において隣接している必要はない。アップリンク資源のブロックを割り当てる際、ＵＥ、即ちＵＥ  ５２２，５２３が同様のチャネル状態に関連しているとき、ＲＡＮ  ５１２、５１４は各々、ＲＡＮ  ５１２に関するＵＥ  ５２２、ＲＡＮ  ５１４に関するＵＥ  ５２３など、ＲＡＮのサービスするＵＥに同じアップリンクのブロック資源を割り当てる。このことは、２つのＵＥが同様の伝搬損失を経験していることを示す。次いで、論理フロー６００は終了する（６１２）。
【００４２】
本発明を如何様にも限定する意図ではなく、単に本発明の原理を例示する目的において、例えば、ＲＡＮ  ５１２のサービスする第１のＵＥ  ５２２は第１の伝搬損失ＰＬ１を経験し、ＲＡＮ  ５１２のサービスする第２のＵＥ  ５２１は第２の伝搬損失ＰＬ２を経験し、ＲＡＮ  ５１２のサービスする第３のＵＥ  ５２０は第３の伝搬損失ＰＬ３を経験するとする。ここで、ＰＬ１＞ＰＬ２＞ＰＬ３である。ＲＡＮ  ５１２は、これらの伝搬損失に基づきＵＥ  ５２０〜５２２を順位付け、それにしたがって第１のサブバンドのセットを含む第１のアップリンク資源のブロックをＵＥ  ５２２へ、第２のサブバンドのセットを含む第２のアップリンク資源のブロックをＵＥ  ５２１へ、第３のサブバンドのセットを含む第３のアップリンク資源のブロックをＵＥ  ５２０へ割り当てる。ここで、第１のアップリンク資源のブロックは第２のアップリンク資源のブロックより多くのサブバンドを含み、第２のアップリンク資源のブロックは第３のアップリンク資源のブロックより多くのサブバンドを含む。
【００４３】
さらに、ＲＡＮ５１４のサービスする第４のＵＥ５２３は第４の伝搬損失ＰＬ４を経験し、ＲＡＮ５１４のサービスする第５のＵＥ５２４は第５の伝搬損失ＰＬ５を経験し、ＲＡＮ５１４のサービスする第６のＵＥ５２５は第６の伝搬損失ＰＬ６を経験するとする。ここで、ＰＬ４＞ＰＬ５＞ＰＬ６である。ＲＡＮ  ５１４は、これらの伝搬損失に基づきＵＥ  ５２３〜５２５を順位付け、第４のアップリンク資源のブロックをＵＥ  ５２３へ割り当てる。ここで、第４のアップリンク資源のブロックは第１のアップリンク資源のブロックと同じサブバンドのセットを含む。さらにＲＡＮ  ５１４は、第５のサブバンドのセットを含む第５のアップリンク資源のブロックをＵＥ  ５２４へ割り当てる。ここで、第５のアップリンク資源のブロックは第２のアップリンク資源のブロックと同じサブバンドのセットを含む。また、ＲＡＮ  ５１４は、第６のサブバンドのセットを含む第６のアップリンク資源のブロックをＵＥ  ５２５へ割り当てる。ここで、第６のアップリンク資源のブロックは第３のアップリンク資源のブロックと同じサブバンドのセットを含む。したがって、同じサブバンドのセットがカバレッジエリア５０２のＵＥ  ５２２と、カバレッジエリア５０４のＵＥ  ５２３とへ割り当てられ、同じサブバンドのセットがカバレッジエリア５０２のＵＥ  ５２１と、カバレッジエリア５０４のＵＥ  ５２４とへ割り当てられ、同じサブバンドのセットがカバレッジエリア５０２のＵＥ  ５２０と、カバレッジエリア５０４のＵＥ  ５２５とへ割り当てられる。同様のチャネル状態を経験する各カバレッジエリアのＵＥに同じアップリンク資源のブロックを割り当てることによって、通信システム５００は、１つのカバレッジエリアにおいてアップリンク資源のブロックを利用するＵＥが、別のカバレッジエリアにおいて同じアップリンク資源のブロックを利用するＵＥと干渉する可能性を減少させる。
【図面の簡単な説明】
【００４４】
【図１】本発明の一実施形態による無線通信システムのブロック図。
【図２】本発明の一実施形態によるユーザ端末のブロック図。
【図３】本発明の一実施形態によるアップリンクパワー制御を提供する際に図１の通信システムによって実行される一方法の論理フローチャート。
【図４】本発明の一実施形態による図１の通信システムによって実行される資源割当の一方法の論理フローチャート。
【図５】本発明の別の実施形態による無線通信システムのブロック図。
【図６】本発明の別の実施形態による図５の通信システムによって実行される資源割当の一方法の論理フローチャート。
【図１】
0004567010.tif 000008
【図２】
0004567010.tif 000009
【図３】
0004567010.tif 000010
【図４】
0004567010.tif 000011
【図５】
0004567010.tif 000012
【図６】
0004567010.tif 000013